(57)【要約】【課題】  本発明は、被覆剤等の不溶成分を含むことなしに、一剤で、薬害がなく、且つ効果的に緩効性の殺菌効果及び肥料効果を達成でき、しかも作業者への健康被害や環境汚染のない殺菌剤・肥料提供することを課題とするものである。【解決手段】  酸化物換算の質量比でＳｉＯ2が１５〜６０％、Ｋ2Ｏが１０〜４０％およびＡｇ2Ｏが０．１〜５％に、Ｐ2Ｏ5が１０〜５０％および／またはＢ2Ｏ3が５〜５０％を含有するガラス質組成物が育苗培土用殺菌剤・肥料として有効であることを見出し本発明を完成した。また、当該ガラス質組成物にＭｎＯ2が０〜２％、Ｆｅ2Ｏ3が０〜３％、ＣｕＯが０〜１％、ＺｎＯが０〜１％、および／またはＭｏＯ3が０〜１％を含有することもあるものが育苗培土用殺菌剤・肥料として有効であることを見出し本発明を完成した。【選択図】  なし【特許請求の範囲】
【請求項１】
酸化物換算の質量比で、ＳｉＯ2が１５〜６０％、Ｋ2Ｏが１０〜４０％およびＡｇ2Ｏが０．１〜５％に、Ｐ2Ｏ5が１０〜５０％および／またはＢ2Ｏ3が５〜５０％を含有するガラス質組成物からなる育苗培土用殺菌剤・肥料
【請求項２】
請求項１記載のガラス質組成物にＭｎＯ2が０〜２％、Ｆｅ2Ｏ3が０〜３％、ＣｕＯが０〜１％、ＺｎＯが０〜１％および／またはＭｏＯ3が０〜１％を含有する育苗培土用殺菌剤・肥料。
【請求項３】
純水に対する育苗培土用殺菌剤・肥料１ｇからの銀イオンの溶解速度が、１μｇ／リットル・時間〜１ｍｇ／リットル・時間である請求項１〜２にそれぞれ記載の育苗培土用殺菌剤・肥料。
【請求項４】
粒径が１〜５ｍｍのものが実質的に９０％以上含有されている請求項１〜３にそれぞれ記載の育苗培土用殺菌剤・肥料。
【請求項５】
請求項１〜４にそれぞれ記載の育苗培土用殺菌剤・肥料を含有することを特徴とする育苗用培土。
【請求項６】
請求項５に記載の育苗用培土を収容した容器に、播種または苗を移植して育成することを特徴とする育苗方法。
【請求項７】
請求項１〜４にそれぞれ記載の育苗培土用殺菌剤・肥料を、播種した容器の培土の上に若しくは苗を移植した容器の培土の上に直接載せるかまたは水が透過できる容器に充填して載せることを特徴とする育苗方法。
【発明の詳細な説明】
【技術分野】
【０００１】
本発明は、稲、野菜、花卉、果樹等の育苗用培土の殺菌剤および肥料に関する。また、それを用いた育苗用培土および育苗方法に係わるものである。
【背景技術】
【０００２】
従来から、稲、野菜、花卉、果樹等の栽培において、苗半作と言われるように、苗の良否が植物の品質を大きく作用するため、健全な苗の育成は非常に重要視されている。とくに、土壌伝染性あるいは種子伝染性等の様々な病原菌による病害を発生させないことが必要である。そのため、播種時、鉢上げ時、移植時等に農薬を散布する方法が用いられている。ここで用いられる農薬の形状としては、粒剤、粉剤、乳剤、水和剤、フロアブル剤等がある。
【０００３】
水和剤、フロアブル、乳剤等については、残効性が短い、薬害を生じやすい、作業者の健康被害の恐れがあるといった問題がある。そこで、農薬活性成分をアセトン、メタノール等の溶剤に溶解し、水溶性紙に含浸させ、これで育苗箱を処理する方法が提案されているが（例えば特許文献１参照）、これは紙様物の敷設等の煩雑な作業を要するし、また溶剤が揮発しやすく使用時に十分な薬効が得られにくいなどの問題がある。
【０００４】
また、農薬活性成分を特定の溶剤に溶解又は懸濁させた液状物を珪砂、軽石などの粒状体に担持させたものを施用した土壌を用いる方法が提案されている（例えば特許文献２参照）。しかし、この方法においても長期間安定した薬効は得られにくい。また、農薬活性成分として有機系薬剤を用いているため、作業者の健康被害や環境汚染問題は解決されない。
【０００５】
種子伝染性の細菌性病害であるイネ褐条病に対して、カスガマインを有効成分とする薬剤が用いられているが、カスガマイシン低感受性菌の出現により、安定した効果が得られなくなるという問題がある。これに対して、カスガマイシンまたはその塩類とプロベナゾールとを特定の割合で配合した殺菌組成物を、稲の育苗箱の播種時に処理する方法が提案されている（例えば特許文献３参照）。これにより、土壌伝染性の糸状菌性病害および種子伝染性の糸状菌性病害および細菌性病害に対して有効に防除でき、またカスガマイシン低感受性菌によるイネ褐条病に対しても感受性菌による病害と同様の防除効果が得られている。しかし、残効性は十分でなく、また作業者の健康被害や環境汚染問題は解決されない。
【０００６】
粒剤を育苗用培土に混和する方法も行われている。農薬を単純に粒状化させたものを育苗用培土に混和させた場合、施用後、すぐに薬剤が放出し残効性がない、また薬害が発生するといった問題がある。そこで、薬剤に徐放性を付与させる方法として、ポリオレフィン等の熱可塑性樹脂で被覆する方法が提案されている（例えば特許文献４参照）。この方法では、被覆剤である熱可塑性樹脂が残存する問題がある。
【０００７】
銀、銅、亜鉛などの金属が抗菌性能を有することは古くから知られている。銀イオンを含有する粒径が５０μｍ以下の溶解性ガラス粉末を樹脂繊維素材中に練り込んだものが報告されている（例えば特許文献５参照）。これは、繊維に抗菌性を付与するものである。
Ａｇ2Ｏを０．２〜５質量％、ＺｎＯを１〜５０質量％、Ｐ2Ｏ5を３０〜８０質量％、ＣａＯを１〜２０質量％、ＣｅＯ2を０．１〜５質量％含有する溶解性ガラスが報告されている（例えば特許文献６参照）。
また、Ｂ2Ｏ3を２０〜５０質量％、ＺｎＯを５０〜８０質量％、アルカリ土類金属酸化物を１０質量％以下、Ａｇ2Ｏを２質量％含有する溶解性ガラスが報告されている（例えば特許文献７参照）。
また、ＺｎＯを５０〜７０モル％、Ｂ2Ｏ3および／またはＰ2Ｏ5を２０〜５０モル％、Ａｌ2Ｏ3およびＺｒＯ2より選ばれる少なくとも１種以上を０．５〜１５モル％、アルカリ金属酸化物（Ｎａ2Ｏ）を５〜１０モル％およびＳｉＯ2を０〜２０モル％含有するものが報告されている（例えば特許文献８参照）。
これらのものは、溶解性ガラスすなわち抗菌ガラスの配合組成に関するものであり、育苗用培土について開示も示唆もない。
【０００８】
抗菌性を有する金属化合物を農業用に用いるものとして、抗菌性能をもつイオンを溶出する銀、銅、亜鉛およびそれらの金属化合物の少なくとも１つを抗菌イオン源とし、この抗菌イオン源を吸着担持する炭酸カルシウム、リン酸カルシウム、セラミックス材からなる担持体と、単結晶テトラポット状の三次元構造の酸化亜鉛ウイスカの三者を主体として配合した抗菌・防錆兼用剤を設置または混入した水耕栽培装置が報告されている（例えば、特許文献９参照）。
また、塩化錫などで処理した繊維品またはポリウレタンフォームを硝酸銀水溶液に浸漬して得た抗かび性および抗菌性付与材料を用いる水耕栽培における抗かび性および抗菌性付与材料が報告されている（例えば特許文献１０参照）。
【０００９】
育苗用培土には、肥料も必要である。速効性の肥料を用いた場合、追肥の必要があるため、施肥の省力化を図るため、肥料を被覆した緩効性肥料などが用いられている（例えば特許文献１１参照）。この場合も、被覆材料が残存する問題がある。
また、緩効性肥料として、溶解性ガラスを用いるものが提案されている（例えば特許文献１２、１３参照）。
これらのものは、病害予防に関して開示も示唆もない。
【００１０】
抗菌性金属イオンを含有する枸溶性ガラス粉末を、土壌、砂地の殺菌、農作物、芝生、植木、園芸用等の殺菌かつ肥料に用いることが提案されており、具体例として、溶性燐肥、及び珪酸質肥料が挙げられている（例えば特許文献１４参照）。この溶性燐肥の具体的組成として、実施例にＰ2Ｏ5−ＳｉＯ2−ＭｇＯ−ＣａＯ系カガラスにＡｇ2Ｏ及び／またはＣｕＯを添加したものが挙げられている。また、珪酸質肥料の具体例として珪酸カルシウム系ガラスが挙げられ、実施例にＭｇＯ−ＣａＯ−ＳｉＯ2−Ｂ2Ｏ3−ＭｎＯ2系カガラスにＡｇ2Ｏを添加したものが挙げられている。
Ｒ2Ｏ−ＲＯ−Ｐ2Ｏ3系ガラスにＡｇ2ＯまたはＣｕＯから選ばれた少なくとも１成分を含ませた可溶性ガラスで銀イオンまたは銅イオンの溶出量が限定されたものが園芸用組成物として用いることが報告されている（例えば特許文献１５参照）。なお、Ｒ2ＯはＮａ2Ｏ、Ｋ2Ｏ、Ｌｉ2Ｏを示し、ＲＯはＣａＯ、ＭｇＯを示す。
【００１１】
○先行文献
【特許文献１】特開昭６４−１９００２号公報（特許請求の範囲）
【特許文献２】特開２００３−９５８０７号公報（特許請求の範囲）
【特許文献３】特開２００２−４７１０９号公報（特許請求の範囲）
【特許文献４】特開昭５７−１２６４０２号公報（特許請求の範囲）
【特許文献５】特開平３−１２４８１０号公報（特許請求の範囲）
【特許文献６】特開２０００−１９１３３９号（特許請求の範囲）
【特許文献７】特開２０００−２８１３８０号公報（特許請求の範囲）
【特許文献８】特開２００１−０２６４３８号公報（特許請求の範囲）
【特許文献９】特開平５−０９５７３９号公報（特許請求の範囲）
【特許文献１０】特開平７−２０３７８７号公報（特許請求の範囲）
【特許文献１１】特開平７−２５５２６８号公報（特許請求の範囲）
【特許文献１２】特開平６−１２２５８４号公報（特許請求の範囲）
【特許文献１３】特開平５−１３９７８０号公報（特許請求の範囲）
【特許文献１４】特開平７−２０６５６６号公報（特許請求の範囲、実施例）
【特許文献１５】特開平３−８８７４０号公報（特許請求の範囲、実施例）
【発明の開示】
【発明が解決しようとする課題】
【００１２】
本発明は、被覆剤等の不溶成分を含むことなしに、一剤で、薬害がなく、且つ効果的に緩効性の殺菌効果及び肥料効果を達成でき、しかも作業者への健康被害や環境汚染のない殺菌剤・肥料提供することを課題とするものである。
【課題を解決するための手段】
【００１３】
本発明者らは、上記の課題を解決すべく鋭意検討した結果、酸化物換算の質量比で、ＳｉＯ2が１５〜６０％、Ｋ2Ｏが１０〜４０％およびＡｇ2Ｏが０．１〜５％に、Ｐ2Ｏ5が１０〜５０％および／またはＢ2Ｏ3が５〜５０％を含有するガラス質組成物が育苗培土用殺菌剤・肥料として有効であることを見出し、本発明を完成するに到った。また、当該ガラス質組成物にＭｎＯ2が０〜２％、Ｆｅ2Ｏ3が０〜３％、ＣｕＯが０〜１％、ＺｎＯが０〜１％、および／またはＭｏＯ3が０〜１％を含有するものが育苗培土用殺菌剤・肥料として有効であることを見出し、本発明を完成するに到った。
【発明を実施するための最良の形態】
【００１４】
以下、本発明について詳細に説明する。
○ガラス質組成物
本発明に用いるガラス質組成物の一つは、必須成分として銀イオン、ケイ酸イオン、ホウ酸イオン、およびカリウムイオンを含有するものであり、これらは育苗用培土中の水分や灌水により溶出できるものである。また、本発明に用いるガラス質組成物は、必須成分として銀イオン、ケイ酸イオン、リン酸イオン、カリウムイオンを含有するものであり、育苗用培土中の水分や灌水により溶出できるものであり、また本発明に用いるガラス質組成物は、必須成分として銀イオン、ケイ酸イオン、ホウ酸イオン、リン酸イオン、カリウムイオンを含有するものであり、育苗用培土中の水分や灌水により溶出できるものである。
【００１５】
本発明の育苗培土用殺菌剤・肥料として用いるガラス質組成物は、酸化物換算の質量比でＳｉＯ2が１５〜６０％、Ｂ2Ｏ3が５〜５０％、Ｋ2Ｏが１０〜４０％、ＭｎＯ2が０〜２％、Ｆｅ2Ｏ3が０〜３％、ＣｕＯが０〜１％、ＺｎＯが０〜１％、ＭｏＯ3が０〜１％、及びＡｇ2Ｏが０．１〜５％からなるものであり、酸化物換算の質量比でＳｉＯ2が１５〜６０％、Ｐ2Ｏ5が１０〜５０％、Ｋ2Ｏが１０〜４０％、ＭｎＯ2が０〜２％、Ｆｅ2Ｏ3が０〜３％、ＣｕＯが０〜１％、ＺｎＯが０〜１％、ＭｏＯ3が０〜１％、及びＡｇ2Ｏが０．１〜５％からなるものであり、酸化物換算の質量比でＳｉＯ2が１５〜６０％、Ｂ2Ｏ3が５〜５０％、Ｐ2Ｏ5が１０〜５０％、Ｋ2Ｏが１０〜４０％、ＭｎＯ2が０〜２％、Ｆｅ2Ｏ3が０〜３％、ＣｕＯが０〜１％、ＺｎＯが０〜１％、ＭｏＯ3が０〜１％、及びＡｇ2Ｏが０．１〜５％からなるものである。
【００１６】
本発明のガラス質組成物中のＡｇ2Ｏの含有量が０．１％未満では、殺菌効果が不十分となる場合がある。そしてＡｇ2Ｏの含有量が５％までで十分であり、それを超えても殺菌効果はあまり変わらない。さらに、Ａｇ2Ｏの含有量が５％を超えると、銀イオンが過剰となり植物に対して薬害を起こす恐れがあり、また銀は高価であるため、コスト的にも好ましくない。なお、銀イオンは、おおよそ培土に２０ｐｐｂ以上存在すれば良い。
【００１７】
ケイ酸イオンは水稲の稲体を強剛にする効果を有しているのは古くから知られている。近年、イチゴなどの野菜において、ケイ酸イオンがうどんこ病などに感染しにくくなる効果があることが報告されている（「ケイ酸カリウム水溶液施用によるイチゴうどんこ病の発生抑制技術」，ひょうごの農業技術，Ｎｏ．１１０，２０００年７月。「イチゴうどんこ病抑制に有効なケイ酸カリ資材とその効果」，ひょうごの農業技術，Ｎｏ．１１６，２００１年７月）。よって、本発明のガラス質組成物に含まれるＳｉＯ2は、稲、野菜、花卉、果樹等いずれにも感染防止効果および植物体を強くすることにおいて有効であるケイ酸イオンを溶出する成分として有用である。また、ＳｉＯ2は、ガラス形成成分であり、本発明のガラス質組成物中のＳｉＯ2含有量が６０％を超えると、ガラス質組成物の水に対する溶解性が低くなり、十分な効果が発現しにくくなり、ＳｉＯ2含有量が１５％未満では、水に対する溶解性が高くなり、緩効性が不十分となる。
【００１８】
Ｂ2Ｏ3は、古くから肥料成分として知られているホウ酸イオンの供給源であるとともに、本発明のガラス質組成物の水に対する溶解性を制御する成分でもある。本発明のガラス質組成物中のＢ2Ｏ3含有量が５０％を超えると、ガラスの水に対する溶解性が低くなり、十分な効果が発現しにくくなり、Ｂ2Ｏ3含有量が５％未満では、水に対する溶解性が高くなり、緩効性が不十分となる。
【００１９】
Ｋ2Ｏは、古くから肥料成分として知られているカリウムイオンの供給源であるとともに、本発明のガラス質組成物の水に対する溶解性を制御する成分でもある。本発明のガラス質組成物中のＫ2Ｏ含有量が４０％を超えると、水に対する溶解性が高くなり、緩効性が不十分となる。Ｋ2Ｏ含有量が１０％未満では、ガラスの水に対する溶解性が低くなり、十分な効果が発現しにくくなる。
【００２０】
Ｐ2Ｏ5は、Ｂ2Ｏ3と同様に肥料成分でもあり、また本発明のガラス質組成物の水に対する溶解性を制御する成分でもある。しかし、Ｐ2Ｏ5を含有させた本発明のガラス質組成物は、Ｂ2Ｏ3を含有させたものに比較し、作製に際にＡｇ2Ｏが揮発しやすい、あるいはガラス質組成物に均一に入りにくい性質がある。よって、必要な量よりも過剰に銀化合物を必要としコスト高になる、また、必要組成比が制御しにくいといった問題がある。
よって、肥料成分として、リン酸イオンを溶出させる必要がある場合には、Ｐ2Ｏ5を含有させたガラス質組成物を用いればよいが、リン酸イオンを必要としない場合は、ホウ酸を含有するガラス組成物が好ましい。
【００２１】
その他に、微量肥料成分であるＭｎＯ、Ｆｅ2Ｏ3、ＣｕＯ、ＺｎＯ、ＭｏＯ3等も本発明の育苗培土用殺菌剤・肥料として用いるガラス質組成物中に含有させることができる。現在、多量肥料成分は過剰気味であり、また、これらについては非常に多くの種類の肥料が市販されているため、微量肥料成分を本発明のガラス質組成物に含有させ、緩効性を付与させることは特に有用である。
ＭｇＯ、ＣａＯは多量に含有させなければ特に問題はないが、本発明の育苗培土用殺菌剤・肥料として用いるガラス質組成物には実質的に含まない。
【００２２】
本発明の育苗培土用殺菌剤・肥料に用いるガラス質組成物は、酸化物、水酸化物、ホウ酸塩、塩化物、硝酸塩、硫酸塩、炭酸塩等、必要成分を含有している化合物を所定の混合量になるようによく混合した後、加熱溶融し、急冷、破砕、分級することにより得ることができる。
本発明の育苗培土用殺菌剤・肥料に用いるガラス質組成物は、培土中の水分や灌水により徐々に溶出するものである。ガラス質組成物からの各成分の溶出速度が速すぎると、殺菌効果、及び肥料効果の持続性が短くなり、また、薬害の恐れがある。逆に、これらの溶出速度が遅すぎると、殺菌効果、及び肥料効果が不十分になる恐れがある。よって、ガラス質組成物の水に対する溶解速度を適正な範囲にコントロールする必要がある。培土中での溶出速度は、培土の種類、水の量、温度等、様々な条件が異なるため、適正な範囲を求めにくい。また、ガラス質組成物の各成分量を変えることにより、ガラス質組成物の成分の溶出性をコントロールすることは可能である。本発明においては、おおよその目安として、純水に対する銀の溶解速度が、１ｇあたり１μｇ／リットル・時間〜１ｍｇ／リットル・時間であることが好ましく、更に好ましくは２〜５００μｇ／リットル・時間であり、特に好ましくは５〜３００μｇ／リットル・時間である。
【００２３】
本発明の育苗培土用殺菌剤・肥料に用いるガラス質組成物の粒径はいずれでもかまわないが、培土中に混和して用いることを考慮すると、粒径が１〜５ｍｍのものが実質的に９０％以上含有されていることが好ましい。ガラス質組成物の粒径が１ｍｍ未満のものが多すぎると、溶解速度が速くなりすぎる、土壌と均一に混和しにくい、粉立ちが多く作業者が粉塵を吸入しやすいといった問題が生じる恐れがある。逆に、ガラス質組成物の粒径が５ｍｍより大きなものが多すぎると、溶解速度が遅くなりすぎる、土壌中に偏在しやすいといった問題が生じる恐れがある。
【００２４】
育苗培土用殺菌剤・肥料に用いるガラス質組成物の粒径を制御する方法として、溶融させたガラスを水中に添加、あるいは、冷却したドラム等に滴下して得られたものを篩い分けする方法がある。また、ガラス製造時に、任意の粒径の球状とすることができる。この球状のガラス（ガラスビーズ）は通常の方法で得ることができる。例えば、溶融したガラスを液滴として滴下させ、球状に固化させる方法や、ガラス原料のスラリーを火焔中に噴霧し、溶融、固化させる方法などがある。
【００２５】
さらに、粒状セラミックなどの表面に担持させる方法が挙げられる。ここで粒状セラミックとは、天然あるいは人工的に作製された無機質固体材料、および粒状のガラスを指す。すなわち、世間一般で言われているセラミックス、窯業製品、ガラス、砂、小石などを指す。例えば、シリカ、アルミナ、ジルコニア、ムライト、ガラスのビーズ、あるいはボールなどが挙げられる。形状は球状、円柱状、円盤状、立方体状、直方体状、さらには、不定形状のものなど特に限定されない。
粒状化の別の方法として、担持体を用いず、成形用バインダーを用いて粒状化させる方法もある。バインダーとして、粘土化合物やシリカゾルなどの無機化合物、水溶性高分子、生分解性高分子等が環境保全の観点から好ましい。
【００２６】
○播種からの育苗または育苗について
本発明の育苗培土用殺菌剤・肥料の育苗培土への使用方法は特に限定されない。例えば、本発明の育苗培土用殺菌剤・肥料を育苗用培土に混和する方法、植穴処理する方法、播種や苗を植え付けた後の培土の上に置く方法、播種や苗を植え付けた後の培土の上に水が透過できる容器に充填して載せる方法等が挙げられる。このうち、本発明の育苗培土用殺菌剤・肥料を育苗用培土に混和する方法または培土の上に置く方法が、作業性が高く好ましく、更に育苗用培土に混和する方法が好ましい。
用いる培土に特に限定はなく、園芸用に一般的に市販されているバーミキュライト、パーライト、ピートモス、バーク堆肥、ミズゴケ等を単独であるいは数種類の資材の混合物としたものなどが挙げられる。
【００２７】
播種からの育苗または育苗に用いる容器は特に限定されない。例えば、育苗ポット、連結ポット、セルトレイ、育苗箱等が挙げられる。
【００２８】
＜実施例＞
以下、本発明を実施例により更に詳細に説明する。なお、部は質量部を示す。
【００２９】
＜製造例１＞
表１に示した組成（各質量部）を良く混合して調製した調合物を１０００〜１４００℃間で溶融し、ガラスを作製する。その後、急冷し、破砕、分級して粒径約１ｍｍ〜５ｍｍのガラス質組成物を得た（試料イ〜リ）。
【００３０】
【表１】
2005314282.tif 000002
【実施例１】
【００３１】
○銀イオンの溶解速度
製造例１で作製したガラス質組成物の純水（イオン交換水）に対する銀イオンの溶解速度（μg／リットル・時間）を調べた。
＜溶解速度の試験条件＞
１．０ｇのガラス質組成物を２０〜３０℃の純水１リットルとともに６時間攪拌し、上清中の銀イオンの濃度を測定して算出した。この結果を表２に示した（μg／リットル・時間）。
【００３２】
【表２】
2005314282.tif 000003
【００３３】
試料ヘでは、銀イオンの溶解量が大きいため、抗菌効果を長期間持続させることが困難である。また、試料トとリでは、銀イオンの溶解量が小さいため抗菌効果がでにくいものである。
【実施例２】
【００３４】
○ケイ酸イオンおよびカリウムイオンの溶解濃度
製造例１で作製したガラス質組成物イ、ハのイオン交換水に対するケイ酸イオン、カリウムイオンの溶解度を調べた。その結果を表３に示した。溶解度は、ガラス質組成物１ｇを２０〜３０℃のイオン交換水１リットルに添加、攪拌し、所定時間にサンプリングし、ケイ酸イオンおよびカリウムイオンの濃度を測定した。
【００３５】
【表３】
2005314282.tif 000004
【実施例３】
【００３６】
○トマト青枯れ病菌に対する効果
製造例１で作製したガラス質組成物イ、ハ、ニ、ヘ、ト、チ、リのトマト青枯れ病に対する防除効果を調べた。トマトは直径１０ｃｍの育苗ポットに養液栽培用椰子殻培土とガラス質組成物を混和して３週間育苗した後，人工的にトマト青枯れ病菌（Ralstonia solanacearum）を接種し，１０日後の本病発生状況を調査した。その結果を表４に示した。
【００３７】
【表４】
2005314282.tif 000005
【００３８】
表４の発病度は以下の基準に従って指数別に調査し，算出した。
０：外部病徴が認められない
１：１〜２葉が萎凋した株
２：３〜５葉が萎凋した株
３：大部分の葉が萎凋した株
４：萎凋枯死株
発病度＝｛Σ（発病指数×程度別発病株）／（３×全株数）｝×１００
防除価＝１００−（処理区の発病度／無処理区の発病度）×１００
ガラス組成物ヘでは、薬害が観察された。
【実施例４】
【００３９】
○ハクサイ根こぶ病菌に対する効果
製造例１で作製したガラス質組成物イ、ロ、ホ、チのハクサイ根こぶ病菌（病原菌：Plasmodiophora brassicae）に対する防除効果を調べた。育苗用のトレイにガラス質組成物を１０質量％となるように育苗用培土に混和し，ハクサイ種子を播種した。３０日間トレイで育苗後にハクサイ根こぶ病菌汚染土を入れた直径１０ｃｍのポリポットに移植し，２１日間栽培後にハクサイ根部の根こぶの着生状況を調査した。その結果を表５に示した。
【００４０】
【表５】
2005314282.tif 000006
【００４１】
注）発病度は以下の基準に従って指数別に調査し，算出した。
０：根こぶの着生が認められない
１：根こぶが根系全体の１〜２５％未満の根に着生
２：根こぶが根系全体の２５〜５０％未満の根に着生
３：根こぶが根系全体の５０〜７５％未満の根に着生
４：根こぶが根系全体の７５％以上の根に着生
発病度＝｛Σ（発病指数×程度別発病株）／（４×全株数）｝×１００
【実施例５】
【００４２】
○ハクサイ育苗効果
製造例１で作製したガラス質組成物ハの、ハクサイに対する育苗効果を調べた。即ち、育苗用のトレイにガラス質組成物ハを１質量％または５質量％となるように育苗用培土と混和し、ハクサイ（品種：オリンピア）種子を播種した（それぞれ試験数１０）。そして、３０日後のハクサイ苗の生長度をガラス質組成物を添加していないものと比較した（試験数１０）。
生長度は、地上部質量（ｇ）および根部質量（ｇ）を測定することのより評価した。その結果を表６に示した。この結果、ガラス質組成物添加量に比例して苗の生育が良いことが判明した。
【００４３】
【表６】
2005314282.tif 000007
【産業上の利用可能性】
【００４４】
本発明のガラス質組成物からなる育苗培土用殺菌剤・肥料を用いることにより、栽培作物の病害を防止することができる。また、本発明の育苗培土用殺菌剤・肥料を用いることにより、栽培作物の苗の生育を促進することができる。このことから、本発明のガラス質組成物からなる育苗培土用殺菌剤・肥料を用いることにより病害防止と生育促進を図ることができ、育苗作業の効率化をはかることができる。